(57)【要約】【課題】切り花などの植物をしおれないように収納できる水溜部を有する袋を簡単な構造で安価に多量生産する。多量の切り花を変形しないように収納できると共に、簡単に出し入れできる水溜部を有する袋を提供する。【解決手段】水溜部を有する袋は、プラスチックフィルムからなる一対の表面シート１を両側縁１ｂで連結して袋状としている。袋は、一対の表面シート１の底から上方に離れた底部に中間シート４を設けている。この中間シート４は、所定の幅を有するプラスチックフィルムを中間で折り返して、折り返し線４Ａと平行な両側縁４ａを一対の表面シート１の内面に、両端縁４ｂを一対の表面シート１の両側縁１ｂに連結している。さらに、袋は、この中間シート４を貫通して植物の茎を挿入する挿入孔５を設けている。【選択図】図３
2008285210.tif 000002
【特許請求の範囲】
【請求項１】
プラスチックフィルムからなる一対の表面シート(1)を両側縁(1b)で連結してなる袋状としてなる水溜部を有する袋であって、
一対の表面シート(1)の底から上方に離れた底部に中間シート(4)が設けられており、この中間シート(4)は、所定の幅を有するプラスチックフィルムが中間で折り返されて、折り返し線(4A)と平行な両側縁(4a)を一対の表面シート(1)の内面に、両端縁(4b)を一対の表面シート(1)の両側縁(1b)に連結しており、さらにこの中間シート(4)を貫通して植物の茎を挿入する挿入孔(5)を設けてなる水溜部を有する袋。
【請求項２】
表面シート(1)の底を、所定の幅の底シート(2)で閉塞しており、この底シート(2)は、中間を上に折り返して、折り返し線(2A)に平行な両側縁(2a)を一対の表面シート(1)の下端縁(1a)に連結して、その両端縁(2b)を一対の表面シート(1)の両側縁(1b)に連結している請求項１に記載される水溜部を有する袋。
【請求項３】
前記底シート(2)が、隅部を面取り状態に表面シート(1)に連結している請求項２に記載される水溜部を有する袋。
【請求項４】
前記底シート(2)の両側縁(2a)が、中央凸の円弧状に表面シート(1)に連結されてなる請求項２又は３に記載される水溜部を有する袋。
【請求項５】
前記中間シート(4)が、中間を下に折り返して両側縁(4a)を一対の表面シート(1)に連結され、折り返し線(4A)に連通して挿入孔(5)を設けている請求項１に記載される水溜部を有する袋。
【請求項６】
前記中間シート(4)の挿入孔(5)が、中間シート(4)の幅よりも狭い請求項１又は５に記載される水溜部を有する袋。
【請求項７】
中間を下に折り返している前記中間シート(4)が、隅部を面取り状態に互いに連結して連結部(6)を設けており、この連結部(6)を前記中間シート(4)の両側縁(4b)から挿入孔(5)に向かって下り勾配に設けている請求項５に記載される水溜部を有する袋。
【発明の詳細な説明】
【技術分野】
【０００１】
本発明は、花などの植物を、茎の下端を水中に挿入する状態で収納できる水溜部を有する袋に関し、とくに、流通過程において、花をしおれない状態で販売するのに最適な水溜部を有する袋に関する。
【背景技術】
【０００２】
花などの植物は、水を補給しない状態におくと短時間でしおれる。流通過程で切り花をしおれないように移送する水溜部を有する袋は開発されている。（特許文献１参照）
【０００３】
この公報に記載される水溜部を有する袋は、図１に示すように、袋の開口部９１に、筒状フィルム９２を溶着している。筒状フィルム９２の外側は、袋の開口部９１を閉塞している。この水溜部を有する袋は、袋の底に水を蓄えて、筒状フィルム９２に切り花などを挿入し、袋から突出する部分を結束して使用する。
【特許文献１】特開２００３−１１６３４６号公報
【発明の開示】
【発明が解決しようとする課題】
【０００４】
図１の水溜部を有する袋は、フィルムを筒状に加工して袋に溶着するので製造に手間がかかって製造コストが高くなる。また、切り花を入れて筒状フィルムを結束するので、切り花の出し入れに手間がかかる欠点もある。さらにまた、切り花が筒状フィルムに挿入されることから、多数の切り花を一緒に収納するときに、切り花が押し潰された状態に変形する欠点もある。
【０００５】
本発明は、この欠点を解決することを目的に開発されたものである。本発明の重要な目的は、切り花などの植物をしおれないように収納できることに加えて、簡単な構造で安価に多量生産できる水溜部を有する袋を提供することにある。
また、本発明の他の大切な目的は、多量の切り花を変形しないように収納できると共に、簡単に出し入れできる水溜部を有する袋を提供することにある。
【課題を解決するための手段】
【０００６】
本発明の水溜部を有する袋は、前述の目的を達成するために以下の構成を備える。
水溜部を有する袋は、プラスチックフィルムからなる一対の表面シート１を両側縁１ｂで連結して袋状としている。袋は、一対の表面シート１の底から上方に離れた底部に中間シート４を設けている。この中間シート４は、所定の幅を有するプラスチックフィルムを中間で折り返して、折り返し線４Ａと平行な両側縁４ａを一対の表面シート１の内面に、両端縁４ｂを一対の表面シート１の両側縁１ｂに連結している。さらに、袋は、この中間シート４を貫通して植物の茎を挿入する挿入孔５を設けている。
【０００７】
ただし、本明細書において「一対の表面シートの両側縁を連結してなる袋状」とは、必ずしも２枚の表面シートの両側を、溶着や接着などの方法で接続する状態のみでなく、たとえばプラスチックフィルムを筒状に成形して、製造工程で一対の表面シートを連結する状態を含む意味に使用する。
【０００８】
本発明の請求項２の水溜部を有する袋は、表面シート１の底を、所定の幅の底シート２で閉塞している。この底シート２は、中間を上に折り返して、折り返し線２Ａに平行な両側縁２ａを一対の表面シート１の下端縁１ａに連結して、その両端縁２ｂを一対の表面シート１の両側縁１ｂに連結している。
【０００９】
本発明の請求項３の水溜部を有する袋は、底シート２を、隅部を面取り状態で表面シート１に連結している。
【００１０】
本発明の請求項４の水溜部を有する袋は、底シート２の両側縁２ａを、中央凸の円弧状に表面シート１に連結している。
【００１１】
本発明の請求項５の水溜部を有する袋は、中間シート４を、中間を下に折り返して両側縁４ａを一対の表面シート１に連結し、折り返し線４Ａに連通して挿入孔５を設けている。
【００１２】
本発明の請求項６の水溜部を有する袋は、中間シート４の挿入孔５を、中間シート４の幅よりも狭くしている。
【００１３】
さらに、本発明の請求項７の袋は、中間を下に折り返している中間シート４が、隅部を面取り状態に互いに連結して連結部６を設けており、この連結部６を中間シート４の両側縁４ｂから挿入孔５に向かって下り勾配に設けている。
【発明の効果】
【００１４】
本発明の水溜部を有する袋は、底部に水溜部を設けているので、切り花などの植物をしおれないように収納できることに加えて、簡単な構造で安価に多量生産できる特徴がある。それは、本発明の水溜部を有する袋が、一対の表面シートの間であって底から上方に離れた底部に、挿入孔のある中間シートを連結して、袋の底部に水溜部を設けているからである。この袋は、中間シートの挿入孔に植物の茎を挿入し、その下端を水溜部の水に入れて、植物をしおれないように収納できる。
【００１５】
また、本発明の水溜部を有する袋は、表面シートの底部に連結している中間シートでもって、袋の底部に水溜部を区画している。この構造の袋は、切り花等の植物の茎の下端部を水溜部に、その上部を中間シートの上方であって袋内に配置して収納できる。中間シート上方の袋内は、水溜部と同じ内形であって大きく、ここに収納される切り花は、押し潰されることなく、すなわち押し潰されるように変形しないで収納できる。また、図１に示す従来の袋のように、筒状シートを結束する必要がないので、植物の茎を中間シートの挿入孔に出し入れして、切り花などを簡単に袋に出し入れできる。このことは、たとえば、花屋の店先で切り花を収納して販売するときにとくに大切である。それは、袋に多数の切り花を入れて、その一部を簡単に抜いて販売できるからである。
【００１６】
また、本発明の請求項２の水溜部を有する袋は、請求項１の構成に加えて、表面シートの底を所定の幅の底シートで閉塞しており、この底シートは、中間を上に折り返して、折り返し線に平行な両側縁を一対の表面シートの下端縁に連結し、その両端縁を一対の表面シートの両側縁に連結している。さらに、本発明の請求項３の袋は、底シートを、隅部を面取り状態に表面シートに接着している。この袋は、水溜部に水を入れて安定に自立できる。それは、面取り状態に表面シートに連結された底シートが、水溜部の水の重量で平面状に拡開され、その周囲に表面シートが立ち上がるように連結されるからである。水溜部に水を入れて安定に自立できる袋は、切り花などを入れて簡単な花瓶の代わりに使用できる。また、花屋の店先では、安定に自立できることから、切り花などを自立させるために別に容器を使用する必要がなく、袋で切り花などを自立させて販売できる。とくに、本発明の請求項４の袋は、底シートの両側縁を、中央凸の円弧状に表面シートに接着するので、より安定に自立できる特徴がある。
【００１７】
さらに、本発明の請求項５の水溜部を有する袋は、請求項１の構成に加えて、中間シートを、中間を下に折り返して表面シートに連結しており、さらに折り返し線に連通するように挿入孔を設けている。この袋は、中間シートが中間の挿入孔に向かって下り勾配に傾斜するので、切り花などの茎をスムーズに挿入孔に案内して入れることができる。
【００１８】
また、本発明の請求項６の袋は、中間シートの挿入孔を、中間シートの幅よりも小さくしているので、袋が水平に倒れた状態で、水溜部の水を漏れないように収納できる。
【００１９】
さらにまた、本発明の請求項７の袋は、中間を下に折り返している中間シートを、隅部を面取り状態に互いに連結して連結部を設けており、この連結部を表面シートの両側縁から挿入孔に向かって下り勾配に設けているので、水溜部に水を速やかに充填できる特長がある。それは、中間シートの上面を中心部の挿入孔に向かって下り勾配に傾斜できるので、中間シートの上面に供給される水を中間シートに沿って流下させて、速やかに水溜部に水を入れることができるからである。
【発明を実施するための最良の形態】
【００２０】
以下、本発明の実施例を図面に基づいて説明する。ただし、以下に示す実施例は、本発明の技術思想を具体化するための水溜部を有する袋を例示するものであって、本発明は水溜部を有する袋を以下のものに特定しない。
【００２１】
さらに、この明細書は、特許請求の範囲を理解しやすいように、実施例に示される部材に対応する番号を、「特許請求の範囲」および「課題を解決するための手段の欄」に示される部材に付記している。ただ、特許請求の範囲に示される部材を、実施例の部材に特定するものでは決してない。
【００２２】
図２の正面図、図３の斜視図、及び図４の分解斜視図は、本発明の実施例にかかる水溜部を有する袋を示している。これらの図に示す袋は、プラスチックフィルムからなる一対の表面シート１を両側縁１ｂで連結してなる袋状としている。この袋は、２枚の表面シート１の両側を熱溶着して製造でき、またプラスチックフィルムを筒状にインフレーション成形して製造することもできる。
【００２３】
図３の袋は、切り花等の植物を挿入する状態で、植物の上部である花の部分が袋の上端開口部から上方に突出する高さとなるように、筒状の表面シート１の長さを決定している。この袋は、植物の花の部分を袋から表出させるので、花の状態を外部からしっかりと確認できる特長がある。ただ、袋は、図３の鎖線で示すように、筒状の表面シートの長さを長くして、植物全体を表面シートで覆う高さとすることもできる。この袋は、植物全体を表面シートで保護できる特長がある。
【００２４】
袋は、表面シート１とは別のプラスチックフィルムからなる底シート２を表面シート１に溶着して底を閉塞している。ただし、袋は、表面シートの下端縁を溶着して底を閉塞することもできる。袋の底を閉塞する底シート２は、所定の幅のプラスチックフィルムが使用される。底シート２の幅は、好ましくは表面シート１の約０．５倍、すなわち半分とする。ただし、底シート２の幅は、たとえば表面シート１の幅の０．２倍以上であって１．２倍以下とすることもできる。底シート２の幅を広くして、水溜部３の容積を大きくできる。
【００２５】
底シート２は、水溜部３に入れる水で自立できるように、折り返し線２Ａが上端に位置するように、すなわち上に折り返されて、折り返し線２Ａに平行な両側縁２ａを一対の表面シート１の下端縁１ａに溶着し、両端縁２ｂを一対の表面シート１の両側縁１ｂに溶着して連結される。
【００２６】
さらに、底シート２は、水溜部３に水を入れる状態で袋をより安定に自立できるように、隅部を面取り状態に表面シート１の内面に溶着して連結している。図２の袋は、底シート２の両側縁２ａを、中央凸の円弧状に表面シート１に溶着して連結している。この袋は、水溜部３に水を入れると、底シート２が楕円形に拡開され、その周囲に表面シート１が垂直に立ち上がって極めて安定に自立できる。ただし、底シート２は、図５に示すように、その隅部を直線状に表面シート１に連結して、水溜部３の水で自立させることもできる。
なお、図２と図５において、プラスチックシートの溶着部分をクロスハッチングで示している。
【００２７】
さらに袋は、底部に水溜部３を設けるために、一対の表面シート１の底から上方に離れた底部に中間シート４を連結している。中間シート４は、所定の幅を有するプラスチックフィルムである。中間シート４の幅は、底シート２の幅にほぼ等しくしている。この袋は、水溜部３に水を入れる状態で、底シート２と中間シート４を同じ幅に拡開して、表面シート１を筒状として切り花などを収納できる。ただし、中間シートは、その幅を底シートよりも狭くすることもできる。この袋は、水溜部に水を入れる状態で、底シートが広く、中間シートが狭くなって、表面シートを上窄み状に拡開する。さらに、中間シートの幅を底シートよりも広くすることもできる。この袋は、水溜部に水を入れる状態で、中間シートが中間に向かって下り勾配になる。したがって、中間に挿入孔を設けて、切り花の茎など中間シートに沿ってスムーズに挿入孔に案内できる。
【００２８】
図２と図４に示すように、中間シート４は、底シート２よりも上方に位置して表面シート１の内面に溶着される。中間シート４は、底シート２に互いに重ならないように、すなわち、中間シート４と底シート２の間に隙間ができるように表面シート１の内面に溶着して連結される。
【００２９】
中間シート４は、中間で折り返して、折り返し線４Ａと平行な両側縁ａを一対の表面シート１の内面に、両端縁４ｂを一対の表面シート１の両側縁１ｂに連結している。中間シート４は、折り返し線４Ａが下端に位置するように、下に折り返されて、その周囲を表面シート１に溶着している。下に折り返して表面シート１に溶着している中間シート４は、中間に向かって下り勾配に傾斜するので、中央に開口する挿入孔５にスムーズに切り花の茎を挿入できる。中間シート４は、これを貫通して、植物の茎を挿入する挿入孔５を設けている。挿入孔５は、中央の折り返し線４Ａに連通するように開口される。さらに、この挿入孔５は、中間シート４の幅よりも小さく開口される。この袋は、水を入れる状態で水平に倒れても、水溜部３の水を漏らさないようにできる。それは、図６の断面図に示すように、挿入孔５よりも下方に水が溜まるからである。
【００３０】
さらに、図２の袋は、中間を下にして折り返される中間シート４の積層部分の隅部を面取り状態に連結している。図２の中間シート４は、積層部分を直線状に溶着して隅部を面取り状態に連結する連結部６としている。この連結部６は、中間シート４の両側縁４ｂから挿入孔５に向かって、とくに中間シート４の両側縁４ａの両端から挿入孔５に向かって下り勾配に連結している。この袋は、図３に示すように、袋を開く状態で、中間シート４の上面を挿入孔５に向かって下り勾配の傾斜面にできるので、この傾斜面に沿って水を流下させて、挿入孔５に案内できる。このため、水溜部３にスムーズに水を入れることができる。ただ、中間シート４は、図２の一点鎖線で示すように、中間シート４の両側縁４ｂの中間部分から挿入孔５に向かって下り勾配に連結することも、図５に示すように、その隅部を楕円状に連結して、連結部６を湾曲した曲線状とすることもできる。ただし、袋は、必ずしも、中間シートの隅部を面取りして連結部を設ける必要はない。連結部のない袋は、中間シートの上面に水を供給する状態で、袋を左右に傾斜させて水を挿入孔に案内することができ、あるいは、挿入孔にホースを挿入して、直接に水を水溜部に充填できる。
【００３１】
以上の水溜部を有する袋は、以下のようにして製造される。
（１）プラスチックフィルムを裁断して一対の表面シート１とする。表面シート１の外形は、袋の大きさを特定する。表面シート１の外形は、たとえば、縦と横の寸法を１０ｃｍないし５０ｃｍとする。表面シート１のプラスチックフィルムには、透光性のあるフィルムを使用する。この袋は、収納する切り花などを外部から観察でき、また、水溜部３に入れる水量を外部から確認できる。さらに、表面シートに綺麗な模様をプリントしているプラスチックフィルムを使用して、袋を綺麗に装飾できる。
（２）プラスチックフィルムを所定の幅に裁断して底シート２と中間シート４とする。底シート２と中間シート４は同じ幅で同じ長さに裁断する。底シート２と中間シート４の幅は、たとえば、表面シート１の半分とする。
（３）中間シート４の中心に貫通孔を設けて挿入孔５とする。挿入孔５は、中間シート４の全幅に設けることなく、中間シート４の幅よりも小さく、たとえば、中間シート４の幅の１／４の大きさに開口される。挿入孔５は、円形または楕円形とする。楕円形の挿入孔５は、中間シート４の折り返し線４Ａの方向に長く、中間シート４の幅方向に小さくする。
（４）図４に示すように、底シート２と中間シート４を中心で折り返すように折曲する。
（５）折り返された中間シート４の積層部分の隅部を、面取り状態となるように溶着して連結部６を設ける。この連結部６は、図２に示すように、中間シート４の両側縁４ｂから挿入孔５に向かって下り勾配に設けられる。
（６）表面シート１の内側に、折り返された底シート２と中間シート４を配設する。底シート２は、折り返し線２Ａを上端に、中間シート４は折り返し線４Ａを下端とするように、表面シート１の内面に配設される。底シート２と中間シート４は、その両端縁２ｂ、４ｂを表面シート１の両側縁１ｂの内側に配設する。さらに、底シート２は、その両側縁２ａを表面シート１の下端縁１ａに配置する。また、中間シート４は、底シート２の上方であって底シート２に重ならないように、かつ底シート２との間に隙間ができる位置に配設される。
（７）表面シート１の両側縁１ｂを溶着して、一対の表面シート１を互いに溶着すると共に、表面の内側に中間シート４と底シート２の両端縁４ｂ、２ｂを溶着する。
（８）折り返された中間シート４の間に溶着されない非溶着シート（図示せず）を挿入して、中間シート４の両側縁４ａを表面シート１の内面に溶着する。このとき、中間シート４の間に挿入された非溶着シートは、中間シート４の両側縁４ａが互いに溶着されるのを阻止する。中間シート４の両側縁４ａが表面シート１の内面に溶着された後、非溶着シートを引き抜く
（９）折り返された底シート２の間に溶着されない非溶着シートを挿入して、底シート２の両側縁２ａを表面シート１の下端縁１ａに溶着する。このとき、底シート２の間に挿入された非溶着シートは、底シート２の両側縁２ａが互いに溶着されるのを阻止する。底シート２は、隅部が面取り状態となるように溶着される。その後、非溶着シートを引き抜いて袋が完成する。
【産業上の利用可能性】
【００３２】
本発明の植物の水溜部を有する袋は、主として、切り花が栽培業者から消費者に移送さるまでの流通過程でしおれないように保存する。また、本発明の水溜部を有する袋は、購入した消費者が簡単な花瓶の代わり使用できる構造として、病院や家庭などで便利に利用できる。
【図面の簡単な説明】
【００３３】
【図１】従来の水溜部を有する袋の使用例を示す正面図である。
【図２】本発明の一実施例にかかる水溜部を有する袋の正面図である。
【図３】図２に示す水溜部を有する袋の使用例を示す斜視図である。
【図４】図２に示す水溜部を有する袋の分解斜視図である。
【図５】本発明の他の実施例にかかる水溜部を有する袋の正面図である。
【図６】図３に示す袋が水平に倒れた状態を示す断面図である。
【符号の説明】
【００３４】
１…表面シート            １ａ…下端縁
１ｂ…側縁
２…底シート              ２Ａ…折り返し線
２ａ…側縁
２ｂ…端縁
３…水溜部
４…中間シート            ４Ａ…折り返し線
４ａ…側縁
４ｂ…端縁
５…挿入孔
６…連結部
９１…開口部
９２…筒状フィルム
【図１】
2008285210.tif 000003
【図２】
2008285210.tif 000004
【図３】
2008285210.tif 000005
【図４】
2008285210.tif 000006
【図５】
2008285210.tif 000007
【図６】
2008285210.tif 000008